(57)【要約】      （修正有）【課題】積層体の用途に合わせて、所望の特性を付与することができる積層体の製造方法、積層体、及び積層体製品の製造方法を提供する。【解決手段】Ａ群から選ばれる少なくとも１種からなる延伸又は無延伸の線条体を用いて形成されたＢ群から選ばれる少なくとも１種からなる基材シートを複数枚用意し、用意された複数枚の基材シートの中から少なくとも二枚の基材シートを選択し、その一枚を第１の基材シートとし、他方を第２の基材シートとし、第１の基材シート及び第２の基材シートを積層してなる未圧着積層シートを形成し、次いで、未圧着積層シートを熱圧着し、その後、冷却することを特徴とする積層体の製造方法。〔Ａ群〕フラットヤーン、マルチフィラメント、モノフィラメント又はステープルファイバー〔Ｂ群〕織物、交差結合布、ワリフ、編物又は一方向樹脂シート【選択図】なし【特許請求の範囲】
【請求項１】
下記Ａ群から選ばれる少なくとも１種からなる延伸又は無延伸の線条体を用いて形成された下記Ｂ群から選ばれる少なくとも１種からなる基材シートを複数枚用意し、
用意された複数枚の基材シートの中から少なくとも二枚の基材シートを選択し、
その一枚を第１の基材シートとし、他方を第２の基材シートとし、
前記第１の基材シート及び前記第２の基材シートを積層してなる未圧着積層シートを形成し、
次いで、前記未圧着積層シートを熱圧着し、その後、冷却することを特徴とする積層体の製造方法。
〔Ａ群〕
フラットヤーン、マルチフィラメント、モノフィラメント又はステープルファイバー
〔Ｂ群〕
織物、交差結合布、ワリフ、編物又は一方向樹脂シート
【請求項２】
下記Ａ群から選ばれる少なくとも１種からなる延伸又は無延伸の線条体を用いて形成された下記Ｂ群から選ばれる少なくとも１種からなる基材シートを複数枚用意し、
用意された複数枚の基材シートの中から少なくとも二枚の基材シートを選択し、
その一枚を第１の基材シートとし、他方を第２の基材シートとし、
前記第１の基材シートと前記第２の基材シートとの間に、熱可塑性樹脂からなる中間層を設けて、前記第１の基材シート、前記中間層及び前記第２の基材シートを積層してなる未圧着積層シートを形成し、
次いで、前記未圧着積層シートを、前記熱可塑性樹脂の融点以上の温度で熱圧着し、その後、冷却することを特徴とする積層体の製造方法。
〔Ａ群〕
フラットヤーン、マルチフィラメント、モノフィラメント又はステープルファイバー
〔Ｂ群〕
織物、交差結合布、ワリフ、編物又は一方向樹脂シート
【請求項３】
下記Ａ群から選ばれる少なくとも１種からなる延伸又は無延伸の線条体を用いて形成された下記Ｂ群から選ばれる少なくとも１種からなる基材シートを複数枚用意し、
用意された複数枚の基材シートの中から少なくとも二枚の基材シートを選択し、
その一枚を第１の基材シートとし、他方を第２の基材シートとし、
前記第１の基材シートと前記第２の基材シートとの間に、熱可塑性樹脂の低融点樹脂成分に、熱可塑性樹脂の高融点樹脂成分を含有させた中間層を設けて、前記第１の基材シート、前記中間層及び前記第２の基材シートを積層してなる未圧着積層シートを形成し、
次いで、前記未圧着積層シートを、前記低融点樹脂成分の融点以上且つ前記高融点樹脂成分の融点未満の温度で熱圧着し、その後、冷却することを特徴とする積層体の製造方法。
〔Ａ群〕
フラットヤーン、マルチフィラメント、モノフィラメント又はステープルファイバー
〔Ｂ群〕
織物、交差結合布、ワリフ、編物又は一方向樹脂シート
【請求項４】
不織布からなる基材シートを複数枚用意し、
用意された複数枚の基材シートの中から少なくとも二枚の基材シートを選択し、
その一枚を第１の基材シートとし、他方を第２の基材シートとし、
前記第１の基材シート及び前記第２の基材シートを積層してなる未圧着積層シートを形成し、
次いで、前記未圧着積層シートを熱圧着し、その後、冷却することを特徴とする積層体の製造方法。
【請求項５】
不織布からなる基材シートを複数枚用意し、
用意された複数枚の基材シートの中から少なくとも二枚の基材シートを選択し、
その一枚を第１の基材シートとし、他方を第２の基材シートとし、
前記第１の基材シートと前記第２の基材シートとの間に、熱可塑性樹脂からなる中間層を設けて、前記第１の基材シート、前記中間層及び前記第２の基材シートを積層してなる未圧着積層シートを形成し、
次いで、前記未圧着積層シートを、前記熱可塑性樹脂の融点以上の温度で熱圧着し、その後、冷却することを特徴とする積層体の製造方法。
【請求項６】
不織布からなる基材シートを複数枚用意し、
用意された複数枚の基材シートの中から少なくとも二枚の基材シートを選択し、
その一枚を第１の基材シートとし、他方を第２の基材シートとし、
前記第１の基材シートと前記第２の基材シートとの間に、熱可塑性樹脂の低融点樹脂成分に、熱可塑性樹脂の高融点樹脂成分を含有させた中間層を設けて、前記第１の基材シート、前記中間層及び前記第２の基材シートを積層してなる未圧着積層シートを形成し、
次いで、前記未圧着積層シートを、前記低融点樹脂成分の融点以上且つ前記高融点樹脂成分の融点未満の温度で熱圧着し、その後、冷却することを特徴とする積層体の製造方法。
【請求項７】
下記Ａ群から選ばれる少なくとも１種からなる延伸又は無延伸の線条体を用いて形成された下記Ｂ群から選ばれる少なくとも１種からなる基材シートを複数枚用意し、その中の少なくとも一枚の基材シートを選択して第１の基材シートとし、
不織布からなる基材シートを複数枚用意し、その中の少なくとも一枚の基材シートを選択して第２の基材シートとし、
前記第１の基材シート及び前記第２の基材シートを積層してなる未圧着積層シートを形成し、
次いで、前記未圧着積層シートを熱圧着し、その後、冷却することを特徴とする積層体の製造方法。
〔Ａ群〕
フラットヤーン、マルチフィラメント、モノフィラメント又はステープルファイバー
〔Ｂ群〕
織物、交差結合布、ワリフ、編物又は一方向樹脂シート
【請求項８】
下記Ａ群から選ばれる少なくとも１種からなる延伸又は無延伸の線条体を用いて形成された下記Ｂ群から選ばれる少なくとも１種からなる基材シートを複数枚用意し、その中の少なくとも一枚の基材シートを選択して第１の基材シートとし、
不織布からなる基材シートを複数枚用意し、その中の少なくとも一枚の基材シートを選択して第２の基材シートとし、
前記第１の基材シートと前記第２の基材シートとの間に、熱可塑性樹脂からなる中間層を設けて、前記第１の基材シート、前記中間層及び前記第２の基材シートを積層してなる未圧着積層シートを形成し、
次いで、前記未圧着積層シートを、前記熱可塑性樹脂の融点以上の温度で熱圧着し、その後、冷却することを特徴とする積層体の製造方法。
〔Ａ群〕
フラットヤーン、マルチフィラメント、モノフィラメント又はステープルファイバー
〔Ｂ群〕
織物、交差結合布、ワリフ、編物又は一方向樹脂シート
【請求項９】
下記Ａ群から選ばれる少なくとも１種からなる延伸又は無延伸の線条体を用いて形成された下記Ｂ群から選ばれる少なくとも１種からなる基材シートを複数枚用意し、その中の少なくとも一枚の基材シートを選択して第１の基材シートとし、
不織布からなる基材シートを複数枚用意し、その中の少なくとも一枚の基材シートを選択して第２の基材シートとし、
前記第１の基材シートと前記第２の基材シートとの間に、熱可塑性樹脂の低融点樹脂成分に、熱可塑性樹脂の高融点樹脂成分を含有させた中間層を設けて、前記第１の基材シート、前記中間層及び前記第２の基材シートを積層してなる未圧着積層シートを形成し、
次いで、前記未圧着積層シートを、前記低融点樹脂成分の融点以上且つ前記高融点樹脂成分の融点未満の温度で熱圧着し、その後、冷却することを特徴とする積層体の製造方法。
〔Ａ群〕
フラットヤーン、マルチフィラメント、モノフィラメント又はステープルファイバー
〔Ｂ群〕
織物、交差結合布、ワリフ、編物又は一方向樹脂シート
【請求項１０】
前記不織布が、スパンボンド、メルトブローなどのフリースの形成方法、サーマルボンド、ケミカルボンド、ニードルパンチ、スパンレースフリース結合方法などで形成されることを特徴とする請求項４〜９の何れかに記載の積層体の製造方法。
【請求項１１】
前記未圧着積層シートを形成する際に、
前記第１の基材シートと前記第２の基材シートとの間に、下記Ｃ群から選ばれる積層材料が積層されることを特徴とする請求項１、４又は７記載の積層体の製造方法。
〔Ｃ群〕
発泡体；
不織布；
樹脂フィルム又は樹脂シート；
紙；
天然革又は人工革；
ハニカム構造体；
アルミ、鉄又は銅などの金属シート
【請求項１２】
前記第１の基材シートと前記Ｃ群から選ばれる積層材料との間、及び又は前記Ｃ群から選ばれる積層材料と前記第２の基材シートとの間に、前記中間層をさらに有することを特徴とする請求項１１記載の積層体の製造方法。
【請求項１３】
前記未圧着積層シートを複数積層してなる積層体を形成する際に、
前記未圧着積層シート同士間に、下記Ｃ群から選ばれる積層材料を積層することを特徴とする請求項２、３、５、６、８又は９記載の積層体の製造方法。
〔Ｃ群〕
発泡体；
不織布；
樹脂フィルム又は樹脂シート；
紙；
天然革又は人工革；
ハニカム構造体；
アルミ、鉄又は銅などの金属シート
【請求項１４】
前記未圧着積層シートと前記Ｃ群から選ばれる積層材料との間に、前記中間層をさらに有することを特徴とする請求項１３記載の積層体の製造方法。
【請求項１５】
前記未圧着積層シートと、前記第１の基材シート又は前記第２の基材シートとを積層してなる積層体を形成する際に、
前記未圧着積層シートと前記第１の基材シート又は前記第２の基材シートとの間に、下記Ｃ群から選ばれる積層材料を積層することを特徴とする請求項２、３、５、６、８又は９記載の積層体の製造方法。
〔Ｃ群〕
発泡体；
不織布；
樹脂フィルム又は樹脂シート；
紙；
天然革又は人工革；
ハニカム構造体；
アルミ、鉄又は銅などの金属シート
【請求項１６】
前記未圧着積層シートと前記Ｃ群から選ばれる積層材料との間、及び又は前記Ｃ群から選ばれる積層材料と前記第１の基材シート又は第２の基材シートとの間に、前記中間層をさらに有することを特徴とする請求項１５記載の積層体の製造方法。
【請求項１７】
前記未圧着積層シートを形成する際に、
前記第１の基材シートと前記中間層との間、及び又は前記第２の基材シートと前記中間層との間に、下記Ｃ群から選ばれる積層材料を積層することを特徴とする請求項２、３、５、６、８又は９記載の積層体の製造方法。
〔Ｃ群〕
発泡体；
不織布；
樹脂フィルム又は樹脂シート；
紙；
天然革又は人工革；
ハニカム構造体；
アルミ、鉄又は銅などの金属シート
【請求項１８】
前記第１の基材シートと前記Ｃ群から選ばれる積層材料との間、及び又は前記第２の基材シートと前記Ｃ群から選ばれる積層材料との間に、前記中間層をさらに有することを特徴とする請求項１７記載の積層体の製造方法。
【請求項１９】
前記第１の基材シート及び前記第２の基材シートを構成する樹脂が同種の組成である請求項１〜１８の何れかに記載の積層体の製造方法。
【請求項２０】
前記第１の基材シート、前記第２の基材シート及び前記中間層を構成する樹脂が同種の組成である請求項２、３、５、６、８、９、１２〜１９の何れかに記載の積層体の製造方法。
【請求項２１】
請求項１〜２０の何れかに記載の積層体の製造方法によって製造されることを特徴とする積層体。
【請求項２２】
請求項２１記載の積層体の片面又は両面に、下記Ｄ群から選ばれる積層材料が積層されることを特徴とする積層体。
〔Ｄ群〕
発泡体；
不織布；
樹脂フィルム又は樹脂シート；
紙；
天然革又は人工革；
ハニカム構造体；
アルミ、鉄又は銅などの金属シート
【請求項２３】
前記積層体と前記Ｄ群から選ばれる積層材料との間に、前記中間層をさらに有することを特徴とする請求項２２記載の積層体。
【請求項２４】
請求項２１記載の積層体を用いて、下記Ｅ群から選ばれる積層体製品を製造することを特徴とする積層体製品の製造方法。
〔Ｅ群〕
背もたれ、座面、フレーム又は肘掛け等の椅子又はベンチ用部品；
ソファー、ベッド、座布団又は枕等用のスプリング；
ホイール、レッグサポート、フットレスト、アームレスト等の車椅子用部品；
スキー靴、スキー靴の部品又はスノーボード靴、スノーボード靴の部品、スキー板又はスノーボード板、ストック等のスキー又はスノーボード用用品；
ヘルメット、肘当て、膝当て、脛当て又は胸当て等のスポーツ用プロテクター；
ヘルメット、肘当て、膝当て、脛当て又は胸当て等の自動二輪車用プロテクター；
ヘルメット、肘当て、膝当て、脛当て又は胸当て等の安全用プロテクター；
ヘルメット、肘当て、膝当て、脛当て又は胸当て等の防災用プロテクター；
サーフボード又はボディボード；
ヨット、カヤック、カヌー又はボート用の壁板、底板、枠材又はボート用オール等の付属品；
釣竿、浮き；
テニス、バドミントン等用のスポーツラケット；
靴のインソール、又は靴の足底板；
義手、義足又はギプス；
腰、肩、肘、膝、足首等の医療用サポーター芯材；
ノートパソコン、スマートフォン等のモバイル機器の筐体又はカバー；
冷蔵庫、洗濯機、掃除機、テレビ等の家電筐体；
フード、フレーム、クランク又はペダル等の自転車用部品；
自動車用の内装材又は外装材；
航空機用部材；
スピーカーコーン；
傘の骨、中棒（シャフト）又は手元（ハンドル）；
踏切、ＥＴＣ等の遮断棒；
屋根、床、壁パネル等の建材；
板バネ等の工業用バネ材；
トレーやボックス等の容器；
ハウス、トンネル内の地温調整用等の農業用水導入用水路管、土木工事用の水路管；
軟弱地盤補強用シート；
止水板；
防草用シート又は防根用シート；
防弾チョッキ又は殺傷防止用等のプロテクター；
先芯、踏貫き防止板等の安全靴用部品；
カーゴ；
スーツケース、アタッシュケース、楽器ケース等の外装材；
鞄の芯材、ランドセルの芯材、肩ベルトの芯材又は下着用の芯材；
袋用芯材又は万能袋用芯材；
テント等用のフレーム；
スケートボード、ローラースケート等用の遊具部材
【発明の詳細な説明】
【技術分野】
【０００１】
本発明は、積層体の製造方法、積層体、及び積層体製品の製造方法に関する。
【背景技術】
【０００２】
特許文献１には、織布と織布の間に、接着層を介在させて、熱圧着して、その接着層を完全に溶解させて、積層ポリマー製品を製造する方法が記載されている。
【先行技術文献】
【特許文献】
【０００３】
【特許文献１】特許第５１３８２２２号公報
【発明の概要】
【発明が解決しようとする課題】
【０００４】
従来技術では、剛性が十分とは言えなかったり、反対に、製品によっては不必要に剛性が高かったりする状況が発生し得た。
昨今、積層体は広範にわたる分野での使用が検討されており、各種用途に合わせた積層体を提供することが求められている。各種用途に合わせた積層体とは、積層体の重量や剛性等をその用途にとって最適な状態にした積層体である。
このように、積層体の用途に合わせて、所望の特性を付与することができる積層体の製造方法、積層体、及び積層体製品の製造方法の開発が望まれる。
【０００５】
そこで本発明の課題は、積層体の用途に合わせて、所望の特性を付与することができる積層体の製造方法、積層体、及び積層体製品の製造方法を提供することにある。
【０００６】
また本発明の他の課題は、以下の記載によって明らかとなる。
【課題を解決するための手段】
【０００７】
上記課題は、以下の各発明によって解決される。
【０００８】
１．
下記Ａ群から選ばれる少なくとも１種からなる延伸又は無延伸の線条体を用いて形成された下記Ｂ群から選ばれる少なくとも１種からなる基材シートを複数枚用意し、
用意された複数枚の基材シートの中から少なくとも二枚の基材シートを選択し、
その一枚を第１の基材シートとし、他方を第２の基材シートとし、
前記第１の基材シート及び前記第２の基材シートを積層してなる未圧着積層シートを形成し、
次いで、前記未圧着積層シートを熱圧着し、その後、冷却することを特徴とする積層体の製造方法。
〔Ａ群〕
フラットヤーン、マルチフィラメント、モノフィラメント又はステープルファイバー
〔Ｂ群〕
織物、交差結合布、ワリフ、編物又は一方向樹脂シート
２．
下記Ａ群から選ばれる少なくとも１種からなる延伸又は無延伸の線条体を用いて形成された下記Ｂ群から選ばれる少なくとも１種からなる基材シートを複数枚用意し、
用意された複数枚の基材シートの中から少なくとも二枚の基材シートを選択し、
その一枚を第１の基材シートとし、他方を第２の基材シートとし、
前記第１の基材シートと前記第２の基材シートとの間に、熱可塑性樹脂からなる中間層を設けて、前記第１の基材シート、前記中間層及び前記第２の基材シートを積層してなる未圧着積層シートを形成し、
次いで、前記未圧着積層シートを、前記熱可塑性樹脂の融点以上の温度で熱圧着し、その後、冷却することを特徴とする積層体の製造方法。
〔Ａ群〕
フラットヤーン、マルチフィラメント、モノフィラメント又はステープルファイバー
〔Ｂ群〕
織物、交差結合布、ワリフ、編物又は一方向樹脂シート
３．
下記Ａ群から選ばれる少なくとも１種からなる延伸又は無延伸の線条体を用いて形成された下記Ｂ群から選ばれる少なくとも１種からなる基材シートを複数枚用意し、
用意された複数枚の基材シートの中から少なくとも二枚の基材シートを選択し、
その一枚を第１の基材シートとし、他方を第２の基材シートとし、
前記第１の基材シートと前記第２の基材シートとの間に、熱可塑性樹脂の低融点樹脂成分に、熱可塑性樹脂の高融点樹脂成分を含有させた中間層を設けて、前記第１の基材シート、前記中間層及び前記第２の基材シートを積層してなる未圧着積層シートを形成し、
次いで、前記未圧着積層シートを、前記低融点樹脂成分の融点以上且つ前記高融点樹脂成分の融点未満の温度で熱圧着し、その後、冷却することを特徴とする積層体の製造方法。
〔Ａ群〕
フラットヤーン、マルチフィラメント、モノフィラメント又はステープルファイバー
〔Ｂ群〕
織物、交差結合布、ワリフ、編物又は一方向樹脂シート
４．
不織布からなる基材シートを複数枚用意し、
用意された複数枚の基材シートの中から少なくとも二枚の基材シートを選択し、
その一枚を第１の基材シートとし、他方を第２の基材シートとし、
前記第１の基材シート及び前記第２の基材シートを積層してなる未圧着積層シートを形成し、
次いで、前記未圧着積層シートを熱圧着し、その後、冷却することを特徴とする積層体の製造方法。
５．
不織布からなる基材シートを複数枚用意し、
用意された複数枚の基材シートの中から少なくとも二枚の基材シートを選択し、
その一枚を第１の基材シートとし、他方を第２の基材シートとし、
前記第１の基材シートと前記第２の基材シートとの間に、熱可塑性樹脂からなる中間層を設けて、前記第１の基材シート、前記中間層及び前記第２の基材シートを積層してなる未圧着積層シートを形成し、
次いで、前記未圧着積層シートを、前記熱可塑性樹脂の融点以上の温度で熱圧着し、その後、冷却することを特徴とする積層体の製造方法。
６．
不織布からなる基材シートを複数枚用意し、
用意された複数枚の基材シートの中から少なくとも二枚の基材シートを選択し、
その一枚を第１の基材シートとし、他方を第２の基材シートとし、
前記第１の基材シートと前記第２の基材シートとの間に、熱可塑性樹脂の低融点樹脂成分に、熱可塑性樹脂の高融点樹脂成分を含有させた中間層を設けて、前記第１の基材シート、前記中間層及び前記第２の基材シートを積層してなる未圧着積層シートを形成し、
次いで、前記未圧着積層シートを、前記低融点樹脂成分の融点以上且つ前記高融点樹脂成分の融点未満の温度で熱圧着し、その後、冷却することを特徴とする積層体の製造方法。
７．
下記Ａ群から選ばれる少なくとも１種からなる延伸又は無延伸の線条体を用いて形成された下記Ｂ群から選ばれる少なくとも１種からなる基材シートを複数枚用意し、その中の少なくとも一枚の基材シートを選択して第１の基材シートとし、
不織布からなる基材シートを複数枚用意し、その中の少なくとも一枚の基材シートを選択して第２の基材シートとし、
前記第１の基材シート及び前記第２の基材シートを積層してなる未圧着積層シートを形成し、
次いで、前記未圧着積層シートを熱圧着し、その後、冷却することを特徴とする積層体の製造方法。
〔Ａ群〕
フラットヤーン、マルチフィラメント、モノフィラメント又はステープルファイバー
〔Ｂ群〕
織物、交差結合布、ワリフ、編物又は一方向樹脂シート
８．
下記Ａ群から選ばれる少なくとも１種からなる延伸又は無延伸の線条体を用いて形成された下記Ｂ群から選ばれる少なくとも１種からなる基材シートを複数枚用意し、その中の少なくとも一枚の基材シートを選択して第１の基材シートとし、
不織布からなる基材シートを複数枚用意し、その中の少なくとも一枚の基材シートを選択して第２の基材シートとし、
前記第１の基材シートと前記第２の基材シートとの間に、熱可塑性樹脂からなる中間層を設けて、前記第１の基材シート、前記中間層及び前記第２の基材シートを積層してなる未圧着積層シートを形成し、
次いで、前記未圧着積層シートを、前記熱可塑性樹脂の融点以上の温度で熱圧着し、その後、冷却することを特徴とする積層体の製造方法。
〔Ａ群〕
フラットヤーン、マルチフィラメント、モノフィラメント又はステープルファイバー
〔Ｂ群〕
織物、交差結合布、ワリフ、編物又は一方向樹脂シート
９．
下記Ａ群から選ばれる少なくとも１種からなる延伸又は無延伸の線条体を用いて形成された下記Ｂ群から選ばれる少なくとも１種からなる基材シートを複数枚用意し、その中の少なくとも一枚の基材シートを選択して第１の基材シートとし、
不織布からなる基材シートを複数枚用意し、その中の少なくとも一枚の基材シートを選択して第２の基材シートとし、
前記第１の基材シートと前記第２の基材シートとの間に、熱可塑性樹脂の低融点樹脂成分に、熱可塑性樹脂の高融点樹脂成分を含有させた中間層を設けて、前記第１の基材シート、前記中間層及び前記第２の基材シートを積層してなる未圧着積層シートを形成し、
次いで、前記未圧着積層シートを、前記低融点樹脂成分の融点以上且つ前記高融点樹脂成分の融点未満の温度で熱圧着し、その後、冷却することを特徴とする積層体の製造方法。
〔Ａ群〕
フラットヤーン、マルチフィラメント、モノフィラメント又はステープルファイバー
〔Ｂ群〕
織物、交差結合布、ワリフ、編物又は一方向樹脂シート
１０．
前記不織布が、スパンボンド、メルトブローなどのフリースの形成方法、サーマルボンド、ケミカルボンド、ニードルパンチ、スパンレースフリース結合方法などで形成されることを特徴とする前記４〜９の何れかに記載の積層体の製造方法。
１１．
前記未圧着積層シートを形成する際に、
前記第１の基材シートと前記第２の基材シートとの間に、下記Ｃ群から選ばれる積層材料が積層されることを特徴とする前記１、４又は７記載の積層体の製造方法。
〔Ｃ群〕
発泡体；
不織布；
樹脂フィルム又は樹脂シート；
紙；
天然革又は人工革；
ハニカム構造体；
アルミ、鉄又は銅などの金属シート
１２．
前記第１の基材シートと前記Ｃ群から選ばれる積層材料との間、及び又は前記Ｃ群から選ばれる積層材料と前記第２の基材シートとの間に、前記中間層をさらに有することを特徴とする前記１１記載の積層体の製造方法。
１３．
前記未圧着積層シートを複数積層してなる積層体を形成する際に、
前記未圧着積層シート同士間に、下記Ｃ群から選ばれる積層材料を積層することを特徴とする前記２、３、５、６、８又は９記載の積層体の製造方法。
〔Ｃ群〕
発泡体；
不織布；
樹脂フィルム又は樹脂シート；
紙；
天然革又は人工革；
ハニカム構造体；
アルミ、鉄又は銅などの金属シート
１４．
前記未圧着積層シートと前記Ｃ群から選ばれる積層材料との間に、前記中間層をさらに有することを特徴とする前記１３記載の積層体の製造方法。
１５．
前記未圧着積層シートと、前記第１の基材シート又は前記第２の基材シートとを積層してなる積層体を形成する際に、
前記未圧着積層シートと前記第１の基材シート又は前記第２の基材シートとの間に、下記Ｃ群から選ばれる積層材料を積層することを特徴とする前記２、３、５、６、８又は９記載の積層体の製造方法。
〔Ｃ群〕
発泡体；
不織布；
樹脂フィルム又は樹脂シート；
紙；
天然革又は人工革；
ハニカム構造体；
アルミ、鉄又は銅などの金属シート
１６．
前記未圧着積層シートと前記Ｃ群から選ばれる積層材料との間、及び又は前記Ｃ群から選ばれる積層材料と前記第１の基材シート又は第２の基材シートとの間に、前記中間層をさらに有することを特徴とする前記１５記載の積層体の製造方法。
１７．
前記未圧着積層シートを形成する際に、
前記第１の基材シートと前記中間層との間、及び又は前記第２の基材シートと前記中間層との間に、下記Ｃ群から選ばれる積層材料を積層することを特徴とする前記２、３、５、６、８又は９記載の積層体の製造方法。
〔Ｃ群〕
発泡体；
不織布；
樹脂フィルム又は樹脂シート；
紙；
天然革又は人工革；
ハニカム構造体；
アルミ、鉄又は銅などの金属シート
１８．
前記第１の基材シートと前記Ｃ群から選ばれる積層材料との間、及び又は前記第２の基材シートと前記Ｃ群から選ばれる積層材料との間に、前記中間層をさらに有することを特徴とする前記１７記載の積層体の製造方法。
１９．
前記第１の基材シート及び前記第２の基材シートを構成する樹脂が同種の組成である前記１〜１８の何れかに記載の積層体の製造方法。
２０．
前記第１の基材シート、前記第２の基材シート及び前記中間層を構成する樹脂が同種の組成である前記２、３、５、６、８、９、１２〜１９の何れかに記載の積層体の製造方法。
２１．
前記１〜２０の何れかに記載の積層体の製造方法によって製造されることを特徴とする積層体。
２２．
前記２１記載の積層体の片面又は両面に、下記Ｄ群から選ばれる積層材料が積層されることを特徴とする積層体。
〔Ｄ群〕
発泡体；
不織布；
樹脂フィルム又は樹脂シート；
紙；
天然革又は人工革；
ハニカム構造体；
アルミ、鉄又は銅などの金属シート
２３．
前記積層体と前記Ｄ群から選ばれる積層材料との間に、前記中間層をさらに有することを特徴とする前記２２記載の積層体。
２４．
前記２１記載の積層体を用いて、下記Ｅ群から選ばれる積層体製品を製造することを特徴とする積層体製品の製造方法。
〔Ｅ群〕
背もたれ、座面、フレーム又は肘掛け等の椅子又はベンチ用部品；
ソファー、ベッド、座布団又は枕等用のスプリング；
ホイール、レッグサポート、フットレスト、アームレスト等の車椅子用部品；
スキー靴、スキー靴の部品又はスノーボード靴、スノーボード靴の部品、スキー板又はスノーボード板、ストック等のスキー又はスノーボード用用品；
ヘルメット、肘当て、膝当て、脛当て又は胸当て等のスポーツ用プロテクター；
ヘルメット、肘当て、膝当て、脛当て又は胸当て等の自動二輪車用プロテクター；
ヘルメット、肘当て、膝当て、脛当て又は胸当て等の安全用プロテクター；
ヘルメット、肘当て、膝当て、脛当て又は胸当て等の防災用プロテクター；
サーフボード又はボディボード；
ヨット、カヤック、カヌー又はボート用の壁板、底板、枠材又はボート用オール等の付属品；
釣竿、浮き；
テニス、バドミントン等用のスポーツラケット；
靴のインソール、又は靴の足底板；
義手、義足又はギプス；
腰、肩、肘、膝、足首等の医療用サポーター芯材；
ノートパソコン、スマートフォン等のモバイル機器の筐体又はカバー；
冷蔵庫、洗濯機、掃除機、テレビ等の家電筐体；
フード、フレーム、クランク又はペダル等の自転車用部品；
自動車用の内装材又は外装材；
航空機用部材；
スピーカーコーン；
傘の骨、中棒（シャフト）又は手元（ハンドル）；
踏切、ＥＴＣ等の遮断棒；
屋根、床、壁パネル等の建材；
板バネ等の工業用バネ材；
トレーやボックス等の容器；
ハウス、トンネル内の地温調整用等の農業用水導入用水路管、土木工事用の水路管；
軟弱地盤補強用シート；
止水板；
防草用シート又は防根用シート；
防弾チョッキ又は殺傷防止用等のプロテクター；
先芯、踏貫き防止板等の安全靴用部品；
カーゴ；
スーツケース、アタッシュケース、楽器ケース等の外装材；
鞄の芯材、ランドセルの芯材、肩ベルトの芯材又は下着用の芯材；
袋用芯材又は万能袋用芯材；
テント等用のフレーム；
スケートボード、ローラースケート等用の遊具部材
【発明の効果】
【０００９】
本発明によれば、積層体の用途に合わせて、所望の特性を付与することができる積層体の製造方法、積層体、及び積層体製品の製造方法を提供することができる。
【図面の簡単な説明】
【００１０】
【図１】織物の一例を表す概念図
【図２】交差結合布の一例を表す概念図
【図３】編物の一例を表す概念図
【図４】一方向樹脂シートの一例を表す概念図
【図５】本発明の積層体の一例を表す概念図
【発明を実施するための形態】
【００１１】
以下に、本発明を実施するための形態について説明する。
【００１２】
１．第１態様
第１態様の積層体の製造方法は、最初に、下記Ａ群から選ばれる少なくとも１種からなる延伸又は無延伸の線条体を用いて形成された下記Ｂ群から選ばれる少なくとも１種からなる基材シートを複数枚用意する。
【００１３】
〔Ａ群〕
フラットヤーン、マルチフィラメント、モノフィラメント又はステープルファイバー
【００１４】
〔Ｂ群〕
織物、交差結合布、ワリフ、編物又は一方向樹脂シート
【００１５】
Ａ群の線条体は、例えば、ポリプロピレン、ポリエチレン等のポリオレフィン；ポリエチレンテレフタレート等のポリエステルなどを好ましく挙げることができる。これらの樹脂を用いて形成されたフラットヤーン、マルチフィラメント、モノフィラメント又はステープルファイバーを線条体として用いる。
【００１６】
線条体は、延伸されていても、無延伸のままでもよいが、好ましくは、製品の強度向上のために、延伸されていることが好ましい。延伸手段としては、例えば一軸又は二軸延伸を採用することができる。
【００１７】
線条体は、単層構造、積層構造、又は芯鞘構造で構成されたものを用いることができる。
【００１８】
線条体が単層構造の場合は、線条体を構成する樹脂が、熱圧着の温度よりも融点の高い熱可塑性樹脂で構成される。このとき、熱圧着の温度よりも融点の低い熱可塑性樹脂を含むこともできる。
【００１９】
線条体が積層構造の場合は、前記単層構造の線条体を基層として、基層の片面又は両面に、基層よりも融点の低い熱可塑性樹脂からなる表面層を積層することもできる。
【００２０】
線条体が芯鞘構造の場合は、前記単層構造の線条体を基層として、基層よりも融点の低い熱可塑性樹脂からなる表面層が被覆することもできる。このような線条体としては、フラットヤーン、マルチフィラメント、モノフィラメント、ステープルファイバー等を例示することができる。
【００２１】
線条体として積層構造が使用される場合、その成形材料となる積層フィルムを成形する手段としては、格別限定されないが、（１）予め基層となるフィルムと表面層となるフィルムを形成してドライラミネート法や熱ラミネート法を用いて複層化する手段や、（２）基層となるフィルムの表面に表面層となる熱可塑性樹脂をコーティングする方法、（３）予め形成した基層となるフィルムに表面層を押出ラミネートする方法、あるいは（４）多層共押出法によって積層フィルムとして押出成形する方法等の手段から適宜選択して用いることができる。
【００２２】
線条体として芯鞘構造が使用される場合、その成形手段としては、格別限定されないが、予め基層となる樹脂と表面層となる樹脂を用意し、押出し機を備える複合紡糸装置に導入し、各々の樹脂は溶融した状態で押出し機の別々の配管を通って複合紡糸金型で合流して押出され、これを冷却する方法等の手段を用いることができる。
【００２３】
線条体の太さは、目的に応じて任意に選定することができるが、線条体が単層構造又は積層構造の場合には、一般的には、５０〜１００００デシテックス（ｄｔ）の範囲が望ましく、線条体が芯鞘構造の場合には、一般的には、１〜１００００デシテックス（ｄｔ）の範囲が望ましい。
【００２４】
Ｂ群の上記織布は、図１（Ａ）に示す平織、図１（Ｂ）に示す綾織、又は図１（Ｃ）に示す朱子織の何れでもよい。交差結合布は、図２（Ａ）に示す２軸交差結合布、図２（Ｂ）に示す３軸交差結合布、図２（Ｃ）に示す４軸交差結合布の何れでもよい。編物は、図３（Ａ）に示すヨコ編、図３（Ｂ）に示すタテ編の何れでもよい。一方向樹脂シートは、線条体を一方向に引きそろえた樹脂シートである（図４参照）。
【００２５】
次に、上記用意された複数枚の基材シートの中から少なくとも二枚の基材シートを選択し、その一枚を第１の基材シートとし、他方を第２の基材シートとする。
【００２６】
本発明においては、二枚の基材シートを選択すればよいので、選択する枚数は三枚でも、四枚以上でもよい。
【００２７】
前記第１の基材シートと前記第２の基材シートの間には、熱可塑性樹脂からなる中間層を設けることも好ましいことである。
本発明の一態様では、前記第１の基材シート、前記第２の基材シートの順に積層してなる未圧着積層シートを形成する。
本発明の他の一態様では、前記第１の基材シート、前記中間層及び前記第２の基材シートの順に積層してなる未圧着積層シートを形成する。
【００２８】
三枚以上を選択した場合にも、各基材シートの間に、中間層を設けて、未圧着積層シートを形成してもよい。
【００２９】
中間層が、第１の基材シートと第２の基材シートとの間に配置される態様においては、該中間層は、単一の熱可塑性樹脂で形成されてもよいし、熱可塑性樹脂の低融点樹脂成分に、熱可塑性樹脂の高融点樹脂成分を含有させたもので形成されてもよい。
【００３０】
特に、熱可塑性樹脂の低融点樹脂成分に、熱可塑性樹脂の高融点樹脂成分を含有させた中間層である場合は、該中間層が、第１の基材シートと第２の基材シートとを接着すると共に、得られる積層体の剛性を向上する剛性向上層として機能することができるため好ましい。
【００３１】
本明細書において、「融点」というのは、ＤＳＣ測定（示差走査熱量測定；Differential scanning calorimetry）により融解ピーク温度として測定される温度のことである。従って、高融点樹脂成分は、低融点樹脂成分よりも融解ピーク温度が高い関係にある。
【００３２】
中間層に用いられる熱可塑性樹脂は、格別限定されないが、ポリプロピレン、ポリエチレン等のポリオレフィン、ポリエチレンテレフタレート等のポリエステルなどを好ましく挙げることができる。
一方、中間層に低融点樹脂成分と高融点樹脂成分とを含有する場合に、前記低融点樹脂成分及び高融点樹脂成分は、格別限定されないが、用いられる低融点樹脂成分としては、ポリプロピレン、ポリエチレン等のポリオレフィン、ポリエチレンテレフタレート等のポリエステルなどを好ましく挙げることができる。用いられる高融点樹脂成分としては、低融点樹脂成分よりも融点が高いものであればよいが、ポリプロピレン、ポリエチレン等のポリオレフィン、ポリエチレンテレフタレート等のポリエステルなどを好ましく挙げることができる。
【００３３】
中間層に低融点樹脂成分及び高融点樹脂成分を含有する態様において、用いられる低融点樹脂成分及び高融点樹脂成分が、それぞれポリプロピレンから選択される場合は、例えば、低融点樹脂成分としてランダムポリプロピレンを用い、高融点樹脂成分としてホモポリプロピレンを用いることができる。
【００３４】
ランダムポリプロピレンは、モノマー成分としてのプロピレンと、α−オレフィン（例えば、エチレン、１−ブテン、１−ペンテン、１−ヘキセン、４−メチル−１−ペンテン、１−ヘプテン、１−オクテン等のプロピレン以外のα−オレフィン）とが、ランダムに共重合したものである。
【００３５】
また、中間層に用いられる低融点樹脂成分及び高融点樹脂成分が、それぞれポリプロピレンから選択される場合の他の態様としては、低融点樹脂成分として比較的低融点のランダムポリプロピレンを用い、高融点樹脂成分として比較的高融点のランダムポリプロピレンを用いることもできる。
【００３６】
中間層としては、格別限定されないが、例えば、低融点樹脂成分のペレットと高融点樹脂成分のペレットとを、両樹脂成分の融点以上の温度で混練し、インフレーション成形等により形成されたフィルムを挙げることができる。
【００３７】
中間層において、高融点樹脂成分の含有量は、例えば、５重量％〜５０重量％の範囲であることが好ましく、１０重量％〜３０重量％の範囲であることが更に好ましい。また、中間層における低融点樹脂成分と高融点樹脂成分の重量比率は、５：９５〜５０：５０の範囲であることが好ましく、１０：９０〜３０：７０の範囲であることが更に好ましい。
【００３８】
中間層の厚さは、例えば、基材シートの厚さや、線条体の太さ等に応じて適宜設定可能であるので限定的ではないが、１０μｍ〜１００μｍの範囲であることが好ましく、２０μｍ〜６０μｍの範囲であることが更に好ましい。
【００３９】
線条体や中間層には、目的に応じて各種の添加剤を添加することができる。具体的には、有機リン系、チオエーテル系等の酸化防止剤；ヒンダードアミン系等の光安定剤；ベンゾフェノン系、ベンゾトリアゾール系、ベンゾエート系等の紫外線吸収剤；帯電防止剤；ビスアミド系、ワックス系、有機金属塩系等の分散剤；アミド系、有機金属塩系等の滑剤；含臭素系有機系、リン酸系、メラミンシアヌレート系、三酸化アンチモン等の難燃剤；低密度ポリエチレン、線状低密度ポリエチレン等の延伸助剤；有機顔料；無機顔料；無機充填剤；有機充填剤；金属イオン系等の無機抗菌剤、有機抗菌剤等が挙げられる。
【００４０】
次いで、上記の未圧着積層シートを、熱圧着し、その後、冷却することにより、積層体を製造する。
特に、前記中間層を有する未圧着積層シートである場合は、中間層を形成する熱可塑性樹脂の融点以上、若しくは前記低融点樹脂成分の融点以上且つ前記高融点樹脂成分の融点未満の温度で熱圧着し、その後、冷却することが好ましい。かかる製法により、得られる積層体は剛性に優れる効果を奏する。
【００４１】
熱圧着の手法は格別限定されないが、例えば熱プレス機などを用いることができ、その圧力は格別限定されず、各層の厚さ等に応じて適宜設定可能であり、例えば、０．５ＭＰａ〜２０ＭＰａの範囲であることが好ましく、２ＭＰａ〜１５ＭＰａの範囲であることが更に好ましい。
【００４２】
熱圧着の時間は、熱圧着できるものであれば格別限定されないが、例えば、１分〜２０分の範囲であることが好ましい。
【００４３】
また熱圧着後の冷却は、自然放冷であってもよいし、強制的な冷却でもよい。強制的な冷却の場合には、熱圧着時の圧着状態を維持して、温度を冷却温度に下げる手法も採用できる。この場合、冷却プレスの手法を採用できる。
【００４４】
冷却プレスの圧力は格別限定されず、各層の厚さ等に応じて適宜設定可能であり、例えば、０．５ＭＰａ〜２０ＭＰａの範囲であることが好ましく、２ＭＰａ〜１５ＭＰａの範囲であることが更に好ましい。
冷却の時間は、冷却できるものであれば格別限定されないが、例えば、１０秒〜２０分の範囲であることが好ましい。
【００４５】
本発明により製造された積層体は剛性に優れる効果を奏する。
上記態様の積層体が剛性に優れる理由としては、熱圧着時に、融解されることがないか、あるいは融解されることがあったとしてもごく少量しか融解されない高融点樹脂成分によって、樹脂の結晶状態が改善されることが寄与しているものと推定される。より具体的には、融解された低融点樹脂成分が再結晶化する際に、融解されていない高融点樹脂成分が結晶核剤として機能し、クロス積層体に剛性を付与するのに適した結晶状態を形成しているものと推定される。
なお、本明細書において、「剛性が高い」というのは、より具体的には、例えばＪＩＳ Ｋ ７１７１に準拠して測定される曲げ弾性率（ＭＰａ）が高いこと等を意味する。
【００４６】
２．第２態様
第１態様において、第１の基材シートと第２の基材シートとして、不織布を用いた態様である。その余の構成は、第１態様と同様であるので、それらの説明を援用する。
【００４７】
この態様に用いる不織布は、スパンボンド、メルトブローなどのフリースの形成方法で形成されたものを用いてもよいし、サーマルボンド、ケミカルボンド、ニードルパンチ、スパンレースフリース結合方法などで形成された不織布を用いることもできる。
【００４８】
３．第３態様
第１態様において、第１の基材シートとして下記Ａ群から選ばれる少なくとも１種からなる延伸又は無延伸の線条体を用いて形成された下記Ｂ群から選ばれる少なくとも１種からなる織布を、第２の基材シートとして不織布を用いた態様である。
〔Ａ群〕
フラットヤーン、マルチフィラメント、モノフィラメント又はステープルファイバー
〔Ｂ群〕
織物、交差結合布、ワリフ、編物又は一方向樹脂シート
その余の構成は、第１態様と同様であるので、それらの説明を援用する。
【００４９】
４．第４態様
上記第１態様及び第２態様において、第１の基材シート及び第２の基材シートを構成する樹脂は、同種の組成であることが好ましい。
さらに、上記第１態様及び第２態様のうちの中間層を有する態様において、第１の基材シート及び第２の基材シート及び中間層を構成する樹脂は、同種の組成であることが好ましい。
例えば、第１の基材シート、第２の基材シート及び中間層を構成する樹脂が、全てポリエチレン樹脂であること、あるいは全てポリプロピレン樹脂であることが同種の組成であることを意味する。
【００５０】
５．第５態様
上記態様において、未圧着積層シートを形成する際又は該未圧着積層シートを積層してなる積層体を形成する際に、Ｃ群から選ばれる積層材料がさらに積層された積層体もまた好ましい。
【００５１】
Ｃ群から選ばれる積層材料は、発泡体；不織布；樹脂フィルム又は樹脂シート；紙；天然革又は人工革；ハニカム構造体；アルミ、鉄又は銅などの金属シートなどが挙げられる。
【００５２】
図５（１）に図示するように、第１の基材シートと第２の基材シートとの間に、Ｃ群から選ばれる積層材料を積層することができる。
図５（２）に図示するように、未圧着積層シートを複数積層してなる積層体を形成する際に、未圧着積層シート同士間に、Ｃ群から選ばれる積層材料を積層することができる。
図５（３）に図示するように、未圧着積層シートと、第１の基材シート又は第２の基材シートとを積層してなる積層体を形成する際に、未圧着積層シートと第１の基材シート又は第２の基材シートとの間に、Ｃ群から選ばれる積層材料を積層することができる。
図５（４）に図示するように、未圧着積層シートを形成する際に、第１の基材シートと中間層との間、及び又は第２の基材シートと中間層との間に、Ｃ群から選ばれる積層材料を積層することができる。
【００５３】
上記図５（１）〜（４）の積層体において、第１の基材シート又は第２の基材シートとＣ群から選ばれる積層材料との間、若しくは、未圧着積層シートとＣ群から選ばれる積層材料との間に、さらに中間層を設けてもよい。
【００５４】
６．第６態様
この態様の積層体は、上記態様で製造された積層体の片面又は両面に、  Ｄ群から選ばれる積層材料が積層された積層体である。
【００５５】
Ｄ群から選ばれる積層材料は、発泡体；不織布；樹脂フィルム又は樹脂シート；紙；天然革又は人工革；ハニカム構造体；アルミ、鉄又は銅などの金属シートなどが挙げられる。
【００５６】
このような積層材料が積層された積層体は、剛性に優れるだけでなく、各種用途に応じて積層材料を選択することにより、用途に応じた優れた効果を発揮する。
【００５７】
発泡体であれば、外表面が柔軟性に優れた、内部は剛性に優れる積層体を提供できる。樹脂フィルム又は樹脂シートであれば、表面保護性に優れた積層体が提供できる。紙であれば、紙に種々の模様を形成することにより装飾性に優れた積層体を提供できる。天然革であれば、高級感ある積層体を提供できる。金属シートであれば、全体を金属で形成したような重厚感を与える積層体を提供できる。
【００５８】
７．第７態様
本発明においては、上記の積層体の製造方法によって得られた積層体を用いて、Ｅ群から選ばれる積層体製品を製造することができる。
【００５９】
Ｅ群から選ばれる積層体製品としては、以下の製品が挙げられるが、必ずしも限定されるわけではない。
背もたれ、座面、フレーム又は肘掛け等の椅子又はベンチ用部品；
ソファー、ベッド、座布団又は枕等用のスプリング；
ホイール、レッグサポート、フットレスト、アームレスト等の車椅子用部品；
スキー靴、スキー靴の部品又はスノーボード靴、スノーボード靴の部品、スキー板又はスノーボード板、ストック等のスキー又はスノーボード用用品；
ヘルメット、肘当て、膝当て、脛当て又は胸当て等のスポーツ用プロテクター；
ヘルメット、肘当て、膝当て、脛当て又は胸当て等の自動二輪車用プロテクター；
ヘルメット、肘当て、膝当て、脛当て又は胸当て等の安全用プロテクター；
ヘルメット、肘当て、膝当て、脛当て又は胸当て等の防災用プロテクター；
サーフボード又はボディボード；
ヨット、カヤック、カヌー又はボート用の壁板、底板、枠材又はボート用オール等の付属品；
釣竿、浮き；
テニス、バドミントン等用のスポーツラケット；
靴のインソール、又は靴の足底板；
義手、義足又はギプス；
腰、肩、肘、膝、足首等の医療用サポーター芯材；
ノートパソコン、スマートフォン等のモバイル機器の筐体又はカバー；
冷蔵庫、洗濯機、掃除機、テレビ等の家電筐体；
フード、フレーム、クランク又はペダル等の自転車用部品；
自動車用の内装材又は外装材；
航空機用部材；
スピーカーコーン；
傘の骨、中棒（シャフト）又は手元（ハンドル）；
踏切、ＥＴＣ等の遮断棒；
屋根、床、壁パネル等の建材；
板バネ等の工業用バネ材；
トレーやボックス等の容器；
ハウス、トンネル内の地温調整用等の農業用水導入用水路管、土木工事用の水路管；
軟弱地盤補強用シート；
止水板；
防草用シート又は防根用シート；
防弾チョッキ又は殺傷防止用等のプロテクター；
先芯、踏貫き防止板等の安全靴用部品；
カーゴ；
スーツケース、アタッシュケース、楽器ケース等の外装材；
鞄の芯材、ランドセルの芯材、肩ベルトの芯材又は下着用の芯材；
袋用芯材又は万能袋用芯材；
テント等用のフレーム；
スケートボード、ローラースケート等用の遊具部材
【図１】
2017144662.tif 000002
【図２】
2017144662.tif 000003
【図３】
2017144662.tif 000004
【図４】
2017144662.tif 000005
【図５】
2017144662.tif 000006